(57)【要約】【課題】  破壊しにくい泡ついては破壊することなくそのまま容器外に排出させることで、内容物や泡の大きさなど泡の性状によらず、短時間に容器から取り除くことができる容器ヘッドスペースの泡除去方法およびその装置を提供すること。【解決手段】  内容物が充填されて搬送される容器搬送路上に設けられ容器の口部に向けて清浄エアを吹き付けて容器ヘッドスペース内の泡を排出させる泡吹出しノズル１３を備えたエア吹付け手段１１と、このエア吹付け手段１１のに隣接して設けられ容器の口部周囲から排出された泡を吸引して取り除く泡吸引ノズル２３を備えた泡吸引手段２１とを備えている。  これにより、エア吹出しノズル１３で容器の口部に向けて清浄エアを吹き付けてヘッドスペース内の泡を口部周囲に排出させることができ、排出してくる泡を泡吸引ノズル２３手段で吸引して取り除くことでき、泡がつぶれなくとも泡をそのまま排出させて簡単かつ短時間に取り除くことができる。【選択図】  図１
2005145462.tif 000002
【特許請求の範囲】
【請求項１】
内容物が充填されて搬送される容器の口部に向けて清浄エアを吹き付けて容器ヘッドスペース内の泡を排出させ、排出された泡を前記搬送される容器の口部周囲から吸引して泡を取り除くようにしたことを特徴とする容器ヘッドスペースの泡除去方法。
【請求項２】
前記容器の口部に向けて吹く付ける清浄エアを、容器内の泡に向けて直接、あるいは容器口部に沿って吹き付けて吸い出すようにして排出するようにしたことを特徴とする請求項１記載の容器ヘッドスペースの泡除去方法。
【請求項３】
内容物が充填されて搬送される容器搬送路上に設けられ容器の口部に向けて清浄エアを吹き付けて容器ヘッドスペース内の泡を排出させるエア吹付け手段と、このエア吹付け手段に隣接して設けられ容器の口部周囲から排出された泡を吸引して取り除く泡吸引手段とを備えることを特徴とする容器ヘッドスペースの泡除去装置。
【請求項４】
前記エア吹付け手段を前記搬送路に沿うスリット状ノズルで構成するとともに、このスリット状ノズルを搬送される容器口部の中心部と対向するよう配置したことを特徴とする請求項３記載の容器ヘッドスペースの泡除去装置。
【請求項５】
前記エア吹付け手段を前記搬送路に沿うスリット状ノズルで構成し、このスリット状ノズルを搬送される容器口部の周辺部と対向させて斜め上方から清浄エアを吹き付けるよう構成したことを特徴とする請求項３記載の容器ヘッドスペースの泡除去装置。
【請求項６】
前記エア吹付け手段には、洗浄殺菌用の蒸気供給手段を設ける一方、前記泡吸引手段に洗浄用温水供給手段を設けたことを特徴とする請求項３〜５のいずれかに記載の容器ヘッドスペースの泡除去装置。
【発明の詳細な説明】
【技術分野】
【０００１】
この発明はビール、炭酸飲料、コーヒー牛乳あるいは乳酸性飲料等を内容物として缶等の容器に充填した後、密封前に容器のヘッドスペースの泡を除去する容器ヘッドスペースの泡除去方法およびその装置に関するものである。
【背景技術】
【０００２】
ビール、炭酸飲料、コーヒー牛乳あるいは乳酸性飲料等を内容物として缶等の容器に充填する場合、容器上部のヘッドスペース部分の残存空気を除去することが飲料等の内容物の品質管理上重要であり、従来からヘッドスペースの空気を炭酸ガスなどの不活性ガスと置換することが行われている。
【０００３】
ところが、内容物によっては、容器にフィラーにより内容物を充填する際に泡が発生することがあり、容器のヘッドスペースに相当量の泡が存在する状態となり、そのまま密封すると、泡内部の空気が酸化や腐敗の原因となる。
【０００４】
そこで、容器のヘッドスペースの泡を処理する必要があり、特許文献1には、液充填後の容器のヘッドスペース内に加熱ガスを供給し、この加熱ガスの熱エネルギーを気泡表面に与え、気泡を形成している表面張力のバランスを崩してヘッドスペース内に存在する気泡を消去して、気泡内の空気をも除去するようにしている。
【０００５】
また、特許文献2には、超音波発信器によって振動板を振動させ、容器搬送路上における容器のヘッドスペースに対して超音波を投射し、超音波による空気振動を内容物の液面の上方に到達させることによって泡に圧力変化による急激な変形を与え、泡を破壊するようにしている。
【特許文献１】特開昭５７−１２５１２０号公報
【特許文献２】特開平９−３２８１９３号公報
【発明の開示】
【発明が解決しようとする課題】
【０００６】
このような容器のヘッドスペースの泡の処理方法は、いずれも泡を破壊することで消去し、これによって泡の存在しない状態にしょうとするものであり、内容物や泡の大きさによっては短時間に破壊消去することができない場合もある。
【０００７】
この発明は、かかる従来技術の問題点に鑑みてなされたもので、破壊しにくい泡ついては破壊することなくそのまま容器外に排出させることで、内容物や泡の大きさなど泡の性状によらず、短時間に容器から取り除くことができる容器ヘッドスペースの泡除去方法およびその装置を提供しようとするものである。
【課題を解決するための手段】
【０００８】
上記課題を解決するため、この発明の請求項１記載の容器ヘッドスペースの泡除去方法は、 内容物が充填されて搬送される容器の口部に向けて清浄エアを吹き付けて容器ヘッドスペース内の泡を排出させ、排出された泡を前記搬送される容器の口部周囲から吸引して泡を取り除くようにしたことを特徴とするものである。
【０００９】
この容器ヘッドスペースの泡除去方法によれば、内容物が充填されて搬送される容器の口部に向けて清浄エアを吹き付けて容器ヘッドスペース内の泡を排出させ、排出された泡を前記搬送される容器の口部周囲から吸引して泡を取り除くようにしており、容器の口部に向けて清浄エアを吹き付け、ヘッドスペース内の泡を口部周囲に排出させ、排出してくる泡を吸引して取り除くことで、泡がつぶれなくとも泡をそのまま排出させて取り除くことができるようになる。
【００１０】
また、この発明の請求項２記載の容器ヘッドスペースの泡除去方法は、請求項１記載の構成に加え、前記容器の口部に向けて吹く付ける清浄エアを、容器内の泡に向けて直接、あるいは容器口部に沿って吹き付けて吸い出すようにして排出するようにしたことを特徴とするものである。
【００１１】
この容器ヘッドスペースの泡除去方法によれば、前記容器の口部に向けて吹く付ける清浄エアを、容器内の泡に向けて直接、あるいは容器口部に沿って吹き付けて吸い出すようにして排出するようにしており、清浄エアを直接泡に当てることで排出を促すようにしたり、容器口部に沿って吹き付けることによるエジェクタ効果で泡を吸い出すことで、泡がつぶれない場合でもそのまま効率良く排出させて取り除くことができるようになる。
【００１２】
さらに、この発明の請求項３記載の容器ヘッドスペースの泡除去装置は、内容物が充填されて搬送される容器搬送路上に設けられ容器の口部に向けて清浄エアを吹き付けて容器ヘッドスペース内の泡を排出させるエア吹付け手段と、このエア吹付け手段に隣接して設けられ容器の口部周囲から排出された泡を吸引して取り除く泡吸引手段とを備えることを特徴とするものである。
【００１３】
この容器ヘッドスペースの泡除去装置によれば、内容物が充填されて搬送される容器搬送路上に設けられ容器の口部に向けて清浄エアを吹き付けて容器ヘッドスペース内の泡を排出させるエア吹付け手段と、このエア吹付け手段に隣接して設けられ容器の口部周囲から排出された泡を吸引して取り除く泡吸引手段とを備えており、エア吹付け手段で容器の口部に向けて清浄エアを吹き付けてヘッドスペース内の泡を口部周囲に排出させるようにし、排出してくる泡を泡吸引手段で吸引して取り除くことで、泡がつぶれなくとも泡をそのまま排出させて取り除くことができるようになる。
【００１４】
また、この発明の請求項４記載の容器ヘッドスペースの泡除去装置は、請求項３記載の構成に加え、前記エア吹付け手段を前記搬送路に沿うスリット状ノズルで構成するとともに、このスリット状ノズルを搬送される容器口部の中心部と対向するよう配置したことを特徴とするものである。
【００１５】
この容器ヘッドスペースの泡除去装置によれば、前記エア吹付け手段を前記搬送路に沿うスリット状ノズルで構成するとともに、このスリット状ノズルを搬送される容器口部の中心部と対向するよう配置しており、エア吹付け手段の搬送路方向のスリット状ノズルで容器口部の中心部に向けてエアを吹き付けることで、泡を中心部から両側に排出させるようにする。
【００１６】
さらに、この発明の請求項５記載の容器ヘッドスペースの泡除去装置は、請求項３記載の構成に加え、前記エア吹付け手段を前記搬送路に沿うスリット状ノズルで構成し、このスリット状ノズルを搬送される容器口部の周辺部と対向させて斜め上方から清浄エアを吹き付けるよう構成したことを特徴とするものである。
【００１７】
この容器ヘッドスペースの泡除去装置によれば、前記エア吹付け手段を前記搬送路に沿うスリット状ノズルで構成し、このスリット状ノズルを搬送される容器口部の周辺部と対向させて斜め上方から清浄エアを吹き付けるよう構成してあり、エア吹付け手段の搬送路方向のスリット状ノズルで容器口部の周辺部に向けて斜め上方からエアを吹き付けることで、泡をスリット状ノズルと反対側から排出させるようにする。
【００１８】
また、この発明の請求項６記載の容器ヘッドスペースの泡除去装置は、請求項３〜５のいずれかに記載の構成に加え、前記エア吹付け手段には、洗浄殺菌用の蒸気供給手段を設ける一方、前記泡吸引手段に洗浄用温水供給手段を設けたことを特徴とするものである。
【００１９】
この容器ヘッドスペースの泡除去装置によれば、エア吹付け手段には、洗浄殺菌用の蒸気供給手段を設ける一方、泡吸引手段に洗浄用温水供給手段を設けるようにしており、蒸気供給手段によってエア吹付け手段の洗浄殺菌ができる一方、洗浄用温水供給手段によって泡吸引手段を洗浄することができ、定期的などに必要な洗浄殺菌などが簡単にできるようになる。
【発明の効果】
【００２０】
この発明の請求項１記載の容器ヘッドスペースの泡除去方法によれば、内容物が充填されて搬送される容器の口部に向けて清浄エアを吹き付けて容器ヘッドスペース内の泡を排出させ、排出された泡を前記搬送される容器の口部周囲から吸引して泡を取り除くようにしたので、容器の口部に向けて清浄エアを吹き付け、ヘッドスペース内の泡を口部周囲に排出させ、排出してくる泡を吸引して取り除くことで、泡がつぶれなくとも泡をそのまま排出させて取り除くことができる。
【００２１】
これにより、内容物や泡の大きさなど泡の性状によらず、短時間に容器から泡を取り除くことができる。
【００２２】
また、この発明の請求項２記載の容器ヘッドスペースの泡除去方法によれば、前記容器の口部に向けて吹く付ける清浄エアを、容器内の泡に向けて直接、あるいは容器口部に沿って吹き付けて吸い出すようにして排出するので、清浄エアを直接泡に当てることで排出を促すようにしたり、容器口部に沿って吹き付けることによるエジェクタ効果で泡を吸い出すことで、泡がつぶれない場合でもそのまま効率良く排出させて取り除くことができる。
【００２３】
さらに、この発明の請求項３記載の容器ヘッドスペースの泡除去装置によれば、内容物が充填されて搬送される容器搬送路上に設けられ容器の口部に向けて清浄エアを吹き付けて容器ヘッドスペース内の泡を排出させるエア吹付け手段と、このエア吹付け手段に隣接して設けられ容器の口部周囲から排出された泡を吸引して取り除く泡吸引手段とを備えているので、エア吹付け手段で容器の口部に向けて清浄エアを吹き付けてヘッドスペース内の泡を口部周囲に排出させることができ、排出してくる泡を泡吸引手段で吸引して取り除くことでき、泡がつぶれなくとも泡をそのまま排出させて簡単かつ短時間に取り除くことができる。
【００２４】
また、この発明の請求項４記載の容器ヘッドスペースの泡除去装置によれば、前記エア吹付け手段を前記搬送路に沿うスリット状ノズルで構成するとともに、このスリット状ノズルを搬送される容器口部の中心部と対向するよう配置したので、エア吹付け手段の搬送路方向のスリット状ノズルで容器口部の中心部に向けてエアを吹き付けることで、泡を中心部から両側に排出させることができ、これにより泡がつぶれなくとも泡をそのまま排出させて簡単かつ短時間に取り除くことができる。
【００２５】
さらに、この発明の請求項５記載の容器ヘッドスペースの泡除去装置によれば、前記エア吹付け手段を前記搬送路に沿うスリット状ノズルで構成し、このスリット状ノズルを搬送される容器口部の周辺部と対向させて斜め上方から清浄エアを吹き付けるよう構成したので、エア吹付け手段の搬送路方向のスリット状ノズルで容器口部の周辺部に向けて斜め上方からエアを吹き付けることで、泡をスリット状ノズルと反対側から排出させることができ、これにより泡がつぶれなくとも泡をそのまま排出させて簡単かつ短時間に取り除くことができる。
【００２６】
また、この発明の請求項６記載の容器ヘッドスペースの泡除去装置によれば、エア吹付け手段には、洗浄殺菌用の蒸気供給手段を設ける一方、泡吸引手段に洗浄用温水供給手段を設けるようにしたので、蒸気供給手段によってエア吹付け手段の洗浄殺菌ができるとともに、洗浄用温水供給手段によって泡吸引手段を洗浄することができ、定期的に必要な洗浄殺菌などを簡単に行うことができる。
【発明を実施するための最良の形態】
【００２７】
以下、この発明の実施の形態を図面を参照しながら詳細に説明する。  
図１および図２は、この発明の容器ヘッドスペースの泡除去装置をボトル状缶に適用した場合の一実施の形態にかかり、図１は全体の概略構成図、図２は容器への内容物充填設備とともに示す平面配置図である。
【００２８】
この容器ヘッドスペースの泡除去装置１０は、図２に示すように、内容物充填設備１を構成する投入ターレット２によって投入される容器としてのボトル状缶Ｃにフィラー３で内容物を充填した後、このボトル状缶Ｃを密封するため搬送する搬送路となる搬送ターレット４の途中に設置され、容器ヘッドスペースＨに発生する泡Ｂを排出除去するものである。
【００２９】
なお、この内容物充填設備１では、搬送ターレット４の泡除去装置１０の下流に、ボトル状缶Ｃのネック部を洗浄するネック洗浄装置５が設けられ、搬送路の両側のノズルから吹き出す洗浄水によってボトル状缶Ｃのネック部外周を洗浄し、さらに、このネック洗浄装置５の下流に、容器ヘッドスベースＨ内の空気を置換する置換装置６が設けられ、窒素や炭酸ガスなどの不活性ガスで置換した後、置換装置６内に設けたキャップキャッチ７でキャップを被せるようになっている。
【００３０】
そして、キャップが被せられたボトル状缶Ｃは、搬送ターレット４からキャッパー８に受け渡されてキャップが締め付けられて密封され、ボトル状缶Ｃへの内容物の充填・密封が完了する。
【００３１】
このような内容物が充填された容器の搬送ターレット３上に設けられる容器ヘッドスペースの泡除去装置１０は、図１に示すように、容器の口部に向けて清浄エアを吹き付けて容器ヘッドスペースＨ内の泡を排出させるエア吹付け手段１１と、このエア吹付け手段１１に隣接して設けられ容器の口部周囲から排出された泡を吸引して取り除く泡吸引手段２１とを備えている。
【００３２】
この泡除去装置１０のエア吹き付け手段１１は、搬送ターレット４の上方に、搬送される容器(ボトル状缶)Ｃの中心部が通過する軌跡に沿って矩形断面のダクト状のエア供給管１２が配置され、このエア供給管１２の底部にスリット状ノズルで構成したエア吹出しノズル１３が設置され、容器(ボトル状缶)Ｃの口部と隙間を空けて対向するようになっている。
【００３３】
そして、エア供給管１２にエア配管１４が接続され、ブロア１５から供給されるエアをフィルタ装置１６を介して気体中の粒子などを除去して清浄エアとして供給するようにしてある。このフィルタ装置１６は、２つのフィルタ１６ａを前後のバルブ１６ｂの開閉で切り替えて使用でき、一方を常時使用しながら他方を洗浄したり交換できるようにしてある。
【００３４】
したがって、ブロア１５を運転し、フィルタ１６ａを介して清浄エアを容器であるボトル状缶Ｃの中心部が搬送される軌跡に沿って容器の口部の中心部に吹き付けることで、容器ヘッドスペースＨ内の中心部の泡Ｂがエアで押され、これによって容器の口部の周囲から泡Ｂを容器外に排出することができる。
【００３５】
また、このエア吹出し手段１１には、洗浄・殺菌用の蒸気を供給する蒸気供給手段３１が設けてあり、２つのフィルタ１６ａの上流側に接続した蒸気供給管３２に三方弁３３を介していずれか一方のフィルタ１６ａのみに、あるいは両方のフィルタ１６ａ，１６ａを介してエア吹出し手段１１の全体を蒸気で洗浄し、殺菌できるようにしてある。
【００３６】
つぎに、エア吹出し手段１１で容器外に排出される泡Ｂを吸引する泡除去装置１０の泡吸引手段２１は、エア吹き付け手段１１のスリット状ノズルで構成したエア吹出しノズル１３の両側に沿って設置される泡吸引ダクト２２を備えており、両側の泡吸引ダクト２２の底部にそれぞれスリット状ノズルで構成した泡吸引ノズル２３を備え、容器(ボトル状缶)Ｃの口部周囲が搬送路を通過する軌跡に沿ってその上方に隙間を空けて対向するように配置してある。
【００３７】
そして、両側の泡吸引ダクト２２に１本の吸引配管２４が接続され、エルミネータ(ミストセパレータ)２５を介してブロア２６で真空吸引できるようにしてあり、液体分をエルミネータ５で分離して廃液するとともに、気体分のみをフロア２６を介して排気するようにしてある。
【００３８】
したがって、ブロア２６を運転し、エルミネータ２５を介して吸引することで、容器であるボトル状缶Ｃの口部の周囲が搬送される軌跡に沿って配置された泡吸引ノズル２３から、エアで押されて容器の口部の周囲から容器外に排出される泡Ｂを吸引することができ、泡Ｂが壊れなくてもそのまま容器ヘッドスぺースＨから泡Ｂを除去することができる。
【００３９】
そして、泡吸引ダクト２２を介して吸引された泡Ｂは、エルミネータ２５で液体分が分離されて廃液される一方、気体分はブロア２６を介して排気される。
【００４０】
さらに、この泡吸引手段２１には、洗浄用の温水を供給する温水供給手段４１が設けてあり、三方弁４２を介して泡吸引ダクト２２とエルミネータ２５に温水を供給できるようにしてあり、エルミネータ２５だけ、あるいは泡吸引手段２１全体を温水で洗浄できるようにしてある。
【００４１】
このように構成した容器ヘッドスペースの泡除去装置１０によれば、容器であるボトル状缶Ｃの中心部下方に向けてエア吹出しノズル１３から吹き付ける清浄エアで容器ヘッドスペースＨ内の泡Ｂの一部をつぶして消去することができるとともに、つぶれない泡Ｂをそのまま容器の口部周囲へ浮き上げるようにして排出することができ、排出された泡Ｂを泡吸引ノズル２３から吸引して除去することで、容器への付着を最小限に抑えることができる。
【００４２】
これにより、容器のヘッドスペースＨの残存酸素を不活性ガスで置換したり、必要に応じて真空度を確保するためスチームを供給して凝縮させる場合などに、泡の影響を受けることをなくすことができる。
【００４３】
泡Ｂの排出に必要な吹付けエアの量や空気の吸引量は、泡Ｂの発生量や泡Ｂの性状などによって適宜定めれば良いが、例えば吹出しノズルのスリット幅を３ｍｍ、エアの吹出し量を６００ｃｃ／ｍｉｎ.とし、泡吸引ノズルのスリット幅を１０ｍｍ、空気の吸引量を１５ｍ3／ｍｉｎ.とすることで、容器の搬送中に完全にヘッドスペースの泡を排出して除去することができた。
【００４４】
次ぎに、この発明の容器ヘッドスペースの泡除去装置の他の実施の形態について、図３〜図５により説明するが、これらの実施の形態では、いずれもエア吹付け手段１１の吹出しノズルと泡吸引手段２１の泡吸引ノズルの具体的な配置が異なるものであり、既に説明した上記実施の形態と同一部分には同一記号記し、説明は省略する。
【００４５】
まず、図３に示す容器ヘッドスペースの泡除去装置１０Ａでは、泡吸引手段２１の泡吸引ノズル２３ａが容器口部の上部側方の両側に対向して開口するようスリットが配置してある。
【００４６】
このように泡吸引ノズル２３ａを配置した容器ヘッドスペースの泡除去装置１０Ａによれば、容器であるボトル状缶Ｃの中心部下方に向けてエア吹出しノズル１３から吹き付ける清浄エアで容器ヘッドスペースＨ内の泡Ｂの一部をつぶして消去することができるとともに、つぶれない泡Ｂをそのまま容器の口部周囲へ浮き上げるようにし、これを容器口部の上部側方の両側に対向して開口する泡吸引ノズル２３ａのスリットから吸引して排出することができ、泡Ｂを除去できるとともに、容器への付着を最小限に抑えることができる。
【００４７】
これにより、容器のヘッドスペースＨの残存酸素を不活性ガスで置換したり、必要に応じて真空度を確保するためスチームを供給して凝縮させる場合などに、泡の影響を受けることをなくすことができる。
【００４８】
つぎに、図４に示す容器ヘッドスペースの泡除去装置１０Ｂでは、エア吹付け手段１１のスリット状ノズルで構成したエア吹出しノズル１３ａが容器口部の周辺部の１ヶ所の斜め上方から容器口部の内側壁に向けて吹付けるように配置するとともに、泡吸引手段２１の泡吸引ノズル２３ｂがエア吹出しノズル１３ａと反対側の容器口部の周辺部上方にスリットが開口するよう配置してある。
【００４９】
このようにエア吹出しノズル１３ａで容器口部の周辺部の１ヶ所から清浄エアを吹き込むとともに、周辺部の反対側から泡吸引ノズル２３ｂで吸引する容器ヘッドスペースの泡除去装置１０Ｂによっても、エア吹出しノズル１３ａから吹き付ける清浄エアで容器ヘッドスペースＨ内の泡Ｂの一部をつぶして消去することができるとともに、つぶれない泡Ｂをそのまま容器の口部周囲の反対側へ浮き上げるようにし、これを容器口部の上部に開口する泡吸引ノズル２３ｂのスリットから吸引して排出することができ、泡Ｂを除去できるとともに、容器への付着を最小限に抑えることができる。
【００５０】
これにより、容器のヘッドスペースＨの残存酸素を不活性ガスで置換したり、必要に応じて真空度を確保するためスチームを供給して凝縮させる場合などに、泡の影響を受けることをなくすことができる。
【００５１】
さらに、図５に示す容器ヘッドスペースの泡除去装置１０Ｃでは、エア吹付け手段１１のスリット状ノズルで構成したエア吹出しノズル１３ｂが容器口部から容器ヘッドスペースＨ内の泡Ｂに向けて清浄エアを直接吹付けるのに代え、容器口部に沿って開口面と平行に清浄エアを吹付けるように配置するとともに、泡吸引手段２１の泡吸引ノズル２３ｃがエア吹出しノズル１３ｂと反対側の容器口部の上部側方にスリットが開口するよう配置してある。
【００５２】
このようにエア吹出しノズル１３ｂで容器口部に沿って開口面と平行に清浄エアを吹付けるようにすると、エジェクタ効果によって負圧が発生し、容器ヘッドスペースＨ内の泡Ｂが吸い出されるようになり、これを容器口部の上部側方に開口する泡吸引ノズル２３ｃのスリットから吸引して排出することで、泡Ｂを除去できるとともに、容器への付着を最小限に抑えることができる。
【００５３】
これにより、容器のヘッドスペースＨの残存酸素を不活性ガスで置換したり、必要に応じて真空度を確保するためスチームを供給して凝縮させる場合などに、泡の影響を受けることをなくすことができる。
【００５４】
なお、エア吹付け手段のエア吹出しノズルの配置や泡吸引手段の泡吸引ノズルの配置は、これら実施の形態で説明したものに限らず、他の配置であっても良く、また、各ノズルをスリットノズルで構成する場合に限らず、複数のノズル孔で構成するなど他の形式であっても良い。
【００５５】
さらに、これら各実施の形態の場合でも、エアの吹付け量や空気の吸引量は、泡Ｂの発生量や泡Ｂの性状などによって適宜定めれば良い。
【図面の簡単な説明】
【００５６】
【図１】この発明の容器ヘッドスペースの泡除去装置をボトル状缶に適用した場合の一実施の形態にかかる全体の概略構成図である。
【図２】この発明の容器ヘッドスペースの泡除去装置をボトル状缶に適用した場合の一実施の形態にかかる容器への内容物充填設備とともに示す平面配置図である。
【図３】この発明の容器ヘッドスペースの泡除去装置をボトル状缶に適用した場合の他の一実施の形態にかかる主要部の概略構成図である。
【図４】この発明の容器ヘッドスペースの泡除去装置をボトル状缶に適用した場合のさらに他の一実施の形態にかかる主要部の概略構成図である。
【図５】この発明の容器ヘッドスペースの泡除去装置をボトル状缶に適用した場合の他の一実施の形態にかかる主要部の概略構成図である。
【符号の説明】
【００５７】
Ｂ          泡
Ｃ           容器(ボトル状缶)
Ｈ          容器ヘッドスペース
１          内容物充填設備
２          投入ターレット
３          フィラー
４          搬送ターレット
５          ネック洗浄装置
６          置換装置
７          キャップキャッチ
８          キャッパー
１０        容器ヘッドスペースの泡除去装置
１１       エア吹出し手段
１２        エア供給管
１３        エア吹出しノズル(スリット状ノズル)
１４        エア配管
１５        ブロア
１６        フィルタ装置
１６ａ     フィルタ
１６ｂ      バルブ
２１        泡吸引手段
２２        泡吸引ダクト
２３        泡吸引ノズル(スリット状ノズル)
２４        吸引配管
２５        エルミネータ(ミストセパレータ) 
２６        ブロア
３１        蒸気供給手段
３２        蒸気供給管
３３        三方弁
４１        温水供給手段
４２        三方弁
１０Ａ      容器ヘッドスペースの泡除去装置
２３ａ      泡吸引ノズル(スリット状ノズル)
１０Ｂ      容器ヘッドスペースの泡除去装置
１３ａ        エア吹出しノズル(スリット状ノズル)
２３ｂ      泡吸引ノズル(スリット状ノズル)
１０Ｃ      容器ヘッドスペースの泡除去装置
１３ｂ        エア吹出しノズル(スリット状ノズル)
２３ｃ      泡吸引ノズル(スリット状ノズル)
【図１】
2005145462.tif 000003
【図２】
2005145462.tif 000004
【図３】
2005145462.tif 000005
【図４】
2005145462.tif 000006
【図５】
2005145462.tif 000007